(57)【特許請求の範囲】
【請求項１】
被燃焼物が投入されるストーカ上方の燃焼室内の燃焼排ガスの一部をファンの吸引により炉内へ再循環ガスとして還流するようにしたストーカ式焼却炉において、
前記ストーカに配置されたおき燃焼帯の火格子を設けるとともに、前記火格子の少なくとも１つ以上の動作信号を受信し、及び、前記火格子の停止信号を受信し、前記火格子の動作している時間帯において、及び、前記火格子の停止後一定時間経過した時間帯において、前記再循環ガスの吸引量を制御する燃焼制御装置を設けたことを特徴とするストーカ式焼却炉。
【請求項２】
被燃焼物が投入されるストーカ上方の燃焼室内の燃焼排ガスの一部をファンの吸引により炉内へ再循環ガスとして還流するようにしたストーカ式焼却炉において、
前記ストーカに配置されたおき燃焼帯の火格子及び前記被燃焼物の搬送装置を設けるとともに、前記火格子及び前記搬送装置のうち、少なくともいずれか一方の１つ以上の動作信号を受信し、及び、前記火格子及び前記搬送装置の停止信号を受信し、前記火格子及び前記搬送装置の動作している時間帯において、及び、前記火格子及び前記搬送装置の停止後一定時間経過した時間帯において、前記再循環ガスの吸引量を制御する燃焼制御装置を設けたことを特徴とするストーカ式焼却炉。
【請求項３】
被燃焼物が投入されるストーカ上方の燃焼室内の燃焼排ガスの一部をファンの吸引により炉内へ再循環ガスとして還流するようにしたストーカ式焼却炉において、
前記ストーカの下流側に配置された灰押出し装置を設けるとともに、前記灰押出し装置の押出し動作信号を受信し、及び、前記灰押出し装置の停止信号を受信し、前記灰押出し装置の動作している時間帯において、及び、灰押出し装置の停止後一定時間経過した時間帯において、前記再循環ガスの吸引量を制御する燃焼制御装置を設けたことを特徴とするストーカ式焼却炉。
【請求項４】
被燃焼物が投入されるストーカ上方の燃焼室内の燃焼排ガスの一部をファンの吸引により炉内へ再循環ガスとして還流するようにしたストーカ式焼却炉において、
前記ストーカに配置されたおき燃焼帯の火格子及び前記ストーカの下流側に配置された灰押出し装置を設けるとともに、前記火格子及び前記灰押出し装置のうち、前記火格子の少なくとも１つ以上の動作信号及び前記灰押出し装置の押出し動作信号の少なくともいずれか一方を受信し、及び、前記火格子及び前記灰押出し装置の停止信号を受信し、前記火格子及び前記灰押出し装置の動作している時間帯において、及び、前記火格子及び前記灰押出し装置の停止後一定時間経過した時間帯において、前記再循環ガスの吸引量を制御する燃焼制御装置を設けたことを特徴とするストーカ式焼却炉。
【請求項５】
被燃焼物が投入されるストーカ上方の燃焼室内の燃焼排ガスの一部をファンの吸引により炉内へ再循環ガスとして還流するようにしたストーカ式焼却炉において、
前記ストーカに配置されたおき燃焼帯の火格子及び前記被燃焼物の搬送装置と、前記ストーカの下流側に配置された灰押出し装置とを設けるとともに、前記火格子、前記搬送装置及び前記灰押出し装置のうち、前記火格子の少なくとも１つ以上の動作信号、前記搬送装置の少なくとも１つ以上の動作信号及び前記灰押出し装置の押出し動作信号の少なくともいずれか１つ以上を受信し、及び、前記火格子、前記搬送装置及び前記灰押出し装置の停止信号を受信し、前記火格子、前記搬送装置及び前記灰押出し装置の動作している時間帯において、及び、前記火格子、前記搬送装置及び前記灰押出し装置の停止後一定時間経過した時間帯において、前記再循環ガスの吸引量を制御する燃焼制御装置を設けたことを特徴とするストーカ式焼却炉。
【請求項６】
被燃焼物が投入されるストーカ上方の燃焼室内の燃焼排ガスの一部をファンの吸引により炉内へ再循環ガスとして還流するようにしたストーカ式焼却炉において、
前記ストーカの炉幅方向に少なくとも２つ以上配置されたおき燃焼帯の火格子及び前記被燃焼物の搬送装置と、前記ストーカの下流側に配置された灰押出し装置とを設け、かつ前記ストーカの炉幅方向に有する少なくとも２つ以上の前記再循環ガスの抜出し位置にガス抜出し口を開閉する開閉装置をそれぞれ設けるとともに、前記火格子、前記搬送装置及び前記灰押出し装置のうち、前記炉幅方向で動作している前記火格子の少なくとも１つ以上の動作信号、前記炉幅方向で動作している前記搬送装置の少なくとも１つ以上の動作信号、及び前記灰押出し装置の押出し動作信号の少なくともいずれか１つ以上を受信し、及び、前記火格子、前記搬送装置及び前記灰押出し装置の停止信号を受信し、前記火格子、前記搬送装置及び前記灰押出し装置の動作している時間帯において、及び、前記火格子、前記搬送装置及び前記灰押出し装置の停止後一定時間経過した時間帯において、前記再循環ガスの吸引量を制御し、かつ前記開閉装置を開閉操作する燃焼制御装置を設けたことを特徴とするストーカ式焼却炉。
【請求項７】
前記炉幅方向に２つ以上配置された隣接する前記おき燃焼帯の間には、前記ガス抜出し口が閉じた状態にある前記おき燃焼帯の前記再循環ガスの吸引を阻止する仕切板が配設されていることを特徴とする請求項６に記載のストーカ式焼却炉。
【請求項８】
前記燃焼制御装置によって前記再循環ガスの吸引量を制御している間、前記再循環ガス量と同程度の流量の空気を炉内に供給する供給手段が設けられていることを特徴とする請求項１〜７のいずれかに記載のストーカ式焼却炉。
【請求項９】
前記再循環ガスが還流する再循環通路の前記ファンの上流部位には、前記再循環通路を開閉する開閉手段が配設され、前記開閉手段は、前記燃焼制御装置によって制御されていることを特徴とする請求項１〜８のいずれかに記載のストーカ式焼却炉。
【請求項１０】
前記燃焼制御装置は、前記ファンの回転駆動装置と電気的に接続され、前記燃焼制御装置により前記回転駆動装置を介して前記ファンの回転数を制御するように構成されていることを特徴とする請求項１〜７のいずれかに記載のストーカ式焼却炉。    
【請求項１１】
被燃焼物が投入されるストーカ上方の燃焼室内の燃焼排ガスの一部をファンの吸引により炉内へ再循環ガスとして還流するようにしたストーカ式焼却炉の運転方法において、
前記ストーカに配置されたおき燃焼帯の火格子の駆動手段と電気的に接続される燃焼制御装置を用い、前記燃焼制御装置が、前記火格子の少なくとも１つ以上の動作信号を受信し、及び、前記火格子の停止信号を受信し、前記火格子の動作している時間帯において、及び、前記火格子の停止後一定時間経過した時間帯において、前記再循環ガスの吸引量を制御することを特徴とするストーカ式焼却炉の運転方法。
【請求項１２】
被燃焼物が投入されるストーカ上方の燃焼室内の燃焼排ガスの一部をファンの吸引により炉内へ再循環ガスとして還流するようにしたストーカ式焼却炉の運転方法において、
前記ストーカに配置されたおき燃焼帯の火格子及び前記被燃焼物の搬送装置の駆動手段と電気的に接続される燃焼制御装置を用い、前記燃焼制御装置が、前記火格子及び前記搬送装置のうち、少なくともいずれか一方の１つ以上の動作信号を受信し、及び、前記火格子及び前記搬送装置の停止信号を受信し、前記火格子及び前記搬送装置の動作している時間帯において、及び、前記火格子及び前記搬送装置の停止後一定時間経過した時間帯において、前記再循環ガスの吸引量を制御することを特徴とするストーカ式焼却炉の運転方法。
【請求項１３】
被燃焼物が投入されるストーカ上方の燃焼室内の燃焼排ガスの一部をファンの吸引により炉内へ再循環ガスとして還流するようにしたストーカ式焼却炉の運転方法において、
前記ストーカの下流側に配置された灰押出し装置の駆動手段と電気的に接続される燃焼制御装置を用い、前記燃焼制御装置が、前記灰押出し装置の押出し動作信号を受信し、及び、前記灰押出し装置の停止信号を受信し、前記灰押出し装置の動作している時間帯において、及び、灰押出し装置の停止後一定時間経過した時間帯において、前記再循環ガスの吸引量を制御することを特徴とするストーカ式焼却炉の運転方法。
【請求項１４】
被燃焼物が投入されるストーカ上方の燃焼室内の燃焼排ガスの一部をファンの吸引により炉内へ再循環ガスとして還流するようにしたストーカ式焼却炉の運転方法において、
前記ストーカに配置されたおき燃焼帯の火格子の駆動手段及び前記ストーカの下流側に配置された灰押出し装置の駆動手段とそれぞれ電気的に接続される燃焼制御装置を用い、前記燃焼制御装置が、前記火格子及び前記灰押出し装置のうち、前記火格子の少なくとも１つ以上の動作信号及び前記灰押出し装置の押出し動作信号の少なくともいずれか一方を受信し、及び、前記火格子及び前記灰押出し装置の停止信号を受信し、前記火格子及び前記灰押出し装置の動作している時間帯において、及び、前記火格子及び前記灰押出し装置の停止後一定時間経過した時間帯において、前記再循環ガスの吸引量を制御することを特徴とするストーカ式焼却炉の運転方法。
【請求項１５】
被燃焼物が投入されるストーカ上方の燃焼室内の燃焼排ガスの一部をファンの吸引により炉内へ再循環ガスとして還流するようにしたストーカ式焼却炉の運転方法において、
前記ストーカに配置されたおき燃焼帯の火格子及び前記被燃焼物の搬送装置の駆動手段と、前記ストーカの下流側に配置された灰押出し装置の駆動手段とにそれぞれ電気的に接続される燃焼制御装置を用い、前記燃焼制御装置が、前記火格子、前記搬送装置及び前記灰押出し装置のうち、前記火格子の少なくとも１つ以上の動作信号、前記搬送装置の少なくとも１つ以上の動作信号及び前記灰押出し装置の押出し動作信号の少なくともいずれか１つ以上を受信し、及び、前記火格子、前記搬送装置及び前記灰押出し装置の停止信号を受信し、前記火格子、前記搬送装置及び前記灰押出し装置の動作している時間帯において、及び、前記火格子、前記搬送装置及び前記灰押出し装置の停止後一定時間経過した時間帯において、前記再循環ガスの吸引量を制御することを特徴とするストーカ式焼却炉の運転方法。
【請求項１６】
被燃焼物が投入されるストーカ上方の燃焼室内の燃焼排ガスの一部をファンの吸引により炉内へ再循環ガスとして還流するようにしたストーカ式焼却炉の運転方法において、
前記ストーカの炉幅方向に少なくとも２つ以上配置されたおき燃焼帯の火格子及び前記被燃焼物の搬送装置の駆動手段と、前記ストーカの下流側に配置された灰押出し装置の駆動手段と、前記ストーカの炉幅方向に有する少なくとも２つ以上の前記再循環ガスの抜出し位置にそれぞれ設けられたガス抜出し口開閉用の開閉装置とにそれぞれ電気的に接続される燃焼制御装置を用い、前記燃焼制御装置が、前記火格子、前記搬送装置及び前記灰押出し装置のうち、前記炉幅方向で動作している前記火格子の少なくとも１つ以上の動作信号、前記炉幅方向で動作している前記搬送装置の少なくとも１つ以上の動作信号、及び前記灰押出し装置の押出し動作信号の少なくともいずれか１つ以上を受信し、及び、前記火格子、前記搬送装置及び前記灰押出し装置の停止信号を受信し、前記火格子、前記搬送装置及び前記灰押出し装置の動作している時間帯において、及び、前記火格子、前記搬送装置及び前記灰押出し装置の停止後一定時間経過した時間帯において、前記再循環ガスの吸引量を制御し、かつ前記開閉装置を開閉操作することを特徴とするストーカ式焼却炉の運転方法。
【請求項１７】
前記燃焼制御装置によって前記再循環ガスの吸引量を制御している間、前記再循環ガス量と同程度の流量の空気を炉内に供給することを特徴とする請求項１１〜１６のいずれかに記載のストーカ式焼却炉の運転方法。
【発明の詳細な説明】
【技術分野】
【０００１】
本発明は、ごみ、産業廃棄物等の被燃焼物が投入されるストーカ上方の燃焼室内の燃焼排ガスの一部をファンの吸引により炉内へ再循環ガスとして還流するようにしたストーカ式焼却炉及び該ストーカ式焼却炉の運転方法に関する。
【背景技術】
【０００２】
ストーカ式焼却炉は、固定段と可動段の火格子を交互に配置してなるストーカを備え、油圧装置により可動段を往復移動させることにより、ホッパより投入されたごみ（被燃焼物）の攪拌と前進を行いながら、該ストーカの上流側に配置された乾燥帯でごみの乾燥を行い、次の主燃焼帯で一次空気を投入しながら主燃焼を行い、最下流側のおき燃焼帯で燃え残り分のおき燃焼を行うように構成された焼却炉である。
【０００３】
このようなストーカ式焼却炉において、ストーカ上方の燃焼室内の燃焼排ガスの一部を抽出した再循環ガスを、再循環通路を通して当該燃焼室内の二次燃焼部に還流させて二次空気と共に燃焼に供するようにした技術が提供されている（例えば、特許文献１参照）。すなわち、このストーカ式焼却炉では、安定した低空気比燃焼（炉出口排ガス流量の低減）を達成する手段の１つとして、炉内排ガス再循環システムが採用されている。これは、おき燃焼帯から発生した燃焼排ガスが、ほとんど酸素を消費しておらず、空気に近い組成であることから、この燃焼領域の燃焼排ガスを引き抜いてファン等で昇圧した後に、再び二次燃焼部領域に投入することで、安定した低空気比燃焼を実現し、炉出口排ガス流量を低減させることによって、ボイラ効率の向上、排ガス処理システムの小型化を達成するシステムである。
【０００４】
図５は、特許文献１にて提供されている技術のストーカ式焼却炉を示している。このストーカ式焼却炉２は、ごみホッパ１からの投入口の炉内底部に敷設された乾燥帯ストーカ２１、主燃焼帯ストーカ２２及びおき燃焼帯ストーカ２３を備えている。これらストーカ２１，２２，２３の上方には一次燃焼室３が設けられ、さらに一次燃焼室３の上方には二次燃焼室４が設けられており、二次燃焼室４には再循環ガスの吹出しノズル１９ａ〜１９ｄが設置されているとともに、その排ガス出口にはボイラ８１が接続されている。また、乾燥帯ストーカ２１、主燃焼帯ストーカ２２及びおき燃焼帯ストーカ２３の下部の風箱には、開閉弁５４，５５，５６を有する一次空気管５１，５２，５３が配設され、これら一次空気管５１，５２，５３は、開閉弁７を有する一次空気主管５を介して一次空気供給用のファン６に接続されている。
【０００５】
一方、一次燃焼室３の側壁には、再循環ファン１３によって、当該一次燃焼室３内の燃焼排ガスの一部を再循環ガスとして抜き出す再循環ガス抜出し口４０が設けられており、この再循環ガス抜出し口４０から抜き出された再循環ガスは、再循環通路１６を通り、ファン及び配管摩耗、ノズル閉塞を抑えるための除塵装置たるサイクロン１２の入口通路１４に導入されるようになっている。また、入口通路１４には、開閉弁３０ａを有し、一次空気主管５から分岐した混入空気通路３０が接続されており、再循環通路１６からサイクロン１２に導入する前の再循環ガスには、混入空気通路３０からの一次空気が混合され、サイクロン１２によって再循環ガス中のダストなどを除去してから、吸入通路１２ａ及び開閉弁０１３を通って再循環ファン１３に導入されるようになっている。そして、再循環ファン１３によって再循環通路１５に圧送された一次空気混合後の再循環ガスは、開閉弁３２，３３を有する再循環通路１８，１７に分岐されて吹出しノズル１９ａ〜１９ｄにそれぞれ送り込まれ、当該吹出しノズル１９ａ〜１９ｄから二次燃焼室４内に噴出され、還流されるようになっている。これによって、未燃ガスや未燃物を完全燃焼させるとともにＮＯｘを低減せしめ、ファンの腐食の進行を抑えている。
【先行技術文献】
【特許文献】
【０００６】
【特許文献１】特開２００６−２７５５０２号公報
【発明の概要】
【発明が解決しようとする課題】
【０００７】
しかしながら、上述した従来技術のストーカ式焼却炉及びその運転方法にあっては、次のような問題がある。                              
すなわち、上記従来技術のストーカ式焼却炉では、ストーカ上のおき燃焼帯領域の燃焼排ガスを引き抜くことから、当該再循環ガスには、被燃焼物の灰分等に起因して、微細なダストを含有することになる。そのため、このダストによるファンやダクト、二次空気ノズル等の摩耗を防止すべく、サイクロンなどの除塵装置を設けるなどの対策は施されているが、除塵装置あるいはそれよりも上流側のダクト等に対しては当該ダストによる摩耗や損傷のリスクを回避できないおそれがある。また、除塵装置にて除去しきれなかったダストにより、除塵装置の下流側においても磨耗や損傷のリスクが回避できない場合がある。一方、これを回避するために、再循環通路、除塵装置、ファン等を高価な耐磨耗材料を使用して製作すると、設備コストの上昇を招くことになる。
【０００８】
本発明はこのような実状に鑑みてなされたものであって、その目的は、炉内排ガス再循環システムを採用したストーカ式焼却炉において、再循環ガスに含有されるダスト量を低減させ、再循環通路等のダクト、除塵装置、ファン、二次空気ノズル等の摩耗、損傷を回避できるとともに、二次空気ノズルの閉塞のリスクを軽減することが可能なストーカ式焼却炉及びその運転方法を提供することにある。
【課題を解決するための手段】
【０００９】
上記従来技術の有する課題を解決するために、本発明は、被燃焼物が投入されるストーカ上方の燃焼室内の燃焼排ガスの一部をファンの吸引により炉内へ再循環ガスとして還流するようにしたストーカ式焼却炉において、前記ストーカに配置されたおき燃焼帯の火格子を設けるとともに、前記火格子の少なくとも１つ以上の動作信号を受信し、及び、前記火格子の停止信号を受信し、前記火格子の動作している時間帯において、及び、前記火格子の停止後一定時間経過した時間帯において、前記再循環ガスの吸引量を制御する燃焼制御装置を設けている。
【００１０】
また、本発明は、被燃焼物が投入されるストーカ上方の燃焼室内の燃焼排ガスの一部をファンの吸引により炉内へ再循環ガスとして還流するようにしたストーカ式焼却炉において、前記ストーカに配置されたおき燃焼帯の火格子及び前記被燃焼物の搬送装置を設けるとともに、前記火格子及び前記搬送装置のうち、少なくともいずれか一方の１つ以上の動作信号を受信し、及び、前記火格子及び前記搬送装置の停止信号を受信し、前記火格子及び前記搬送装置の動作している時間帯において、及び、前記火格子及び前記搬送装置の停止後一定時間経過した時間帯において、前記再循環ガスの吸引量を制御する燃焼制御装置を設けている。
【００１１】
さらに、本発明は、被燃焼物が投入されるストーカ上方の燃焼室内の燃焼排ガスの一部をファンの吸引により炉内へ再循環ガスとして還流するようにしたストーカ式焼却炉において、前記ストーカの下流側に配置された灰押出し装置を設けるとともに、前記灰押出し装置の押出し動作信号を受信し、及び、前記灰押出し装置の停止信号を受信し、前記灰押出し装置の動作している時間帯において、及び、灰押出し装置の停止後一定時間経過した時間帯において、前記再循環ガスの吸引量を制御する燃焼制御装置を設けている。
【００１２】
そして、本発明は、被燃焼物が投入されるストーカ上方の燃焼室内の燃焼排ガスの一部をファンの吸引により炉内へ再循環ガスとして還流するようにしたストーカ式焼却炉において、前記ストーカに配置されたおき燃焼帯の火格子及び前記ストーカの下流側に配置された灰押出し装置を設けるとともに、前記火格子及び前記灰押出し装置のうち、前記火格子の少なくとも１つ以上の動作信号及び前記灰押出し装置の押出し動作信号の少なくともいずれか一方を受信し、及び、前記火格子及び前記灰押出し装置の停止信号を受信し、前記火格子及び前記灰押出し装置の動作している時間帯において、及び、前記火格子及び前記灰押出し装置の停止後一定時間経過した時間帯において、前記再循環ガスの吸引量を制御する燃焼制御装置を設けている。
【００１３】
また、本発明は、被燃焼物が投入されるストーカ上方の燃焼室内の燃焼排ガスの一部をファンの吸引により炉内へ再循環ガスとして還流するようにしたストーカ式焼却炉において、前記ストーカに配置されたおき燃焼帯の火格子及び前記被燃焼物の搬送装置と、前記ストーカの下流側に配置された灰押出し装置とを設けるとともに、前記火格子、前記搬送装置及び前記灰押出し装置のうち、前記火格子の少なくとも１つ以上の動作信号、前記搬送装置の少なくとも１つ以上の動作信号及び前記灰押出し装置の押出し動作信号の少なくともいずれか１つ以上を受信し、及び、前記火格子、前記搬送装置及び前記灰押出し装置の停止信号を受信し、前記火格子、前記搬送装置及び前記灰押出し装置の動作している時間帯において、及び、前記火格子、前記搬送装置及び前記灰押出し装置の停止後一定時間経過した時間帯において、前記再循環ガスの吸引量を制御する燃焼制御装置を設けている。
【００１４】
さらに、本発明は、被燃焼物が投入されるストーカ上方の燃焼室内の燃焼排ガスの一部をファンの吸引により炉内へ再循環ガスとして還流するようにしたストーカ式焼却炉において、前記ストーカの炉幅方向に少なくとも２つ以上配置されたおき燃焼帯の火格子及び前記被燃焼物の搬送装置と、前記ストーカの下流側に配置された灰押出し装置とを設け、かつ前記ストーカの炉幅方向に有する少なくとも２つ以上の前記再循環ガスの抜出し位置にガス抜出し口を開閉する開閉装置をそれぞれ設けるとともに、前記火格子、前記搬送装置及び前記灰押出し装置のうち、前記炉幅方向で動作している前記火格子の少なくとも１つ以上の動作信号、前記炉幅方向で動作している前記搬送装置の少なくとも１つ以上の動作信号、及び前記灰押出し装置の押出し動作信号の少なくともいずれか１つ以上を受信し、及び、前記火格子、前記搬送装置及び前記灰押出し装置の停止信号を受信し、前記火格子、前記搬送装置及び前記灰押出し装置の動作している時間帯において、及び、前記火格子、前記搬送装置及び前記灰押出し装置の停止後一定時間経過した時間帯において、前記再循環ガスの吸引量を制御し、かつ前記開閉装置を開閉操作する燃焼制御装置を設けている。
【００１５】
本発明において、具体的には次のように構成されていることが好ましい。
（１）前記炉幅方向に前記おき燃焼帯が２つ以上配置されている場合には、隣接する前記おき燃焼帯の間には、前記ガス抜出し口が閉じた状態にある前記おき燃焼帯の前記再循環ガスの吸引を阻止する仕切板が配設されている。
（２）前記燃焼制御装置によって前記再循環ガスの吸引量を制御している間、前記再循環ガス量と同程度の流量の空気を炉内に供給する供給手段が設けられている。
（３）前記再循環ガスが還流する再循環通路の前記ファンの上流部位には、前記再循環通路を開閉する開閉手段が配設され、前記開閉手段は、前記燃焼制御装置によって制御されている。
（４）前記燃焼制御装置は、前記ファンの回転駆動装置と電気的に接続され、前記燃焼制御装置により前記回転駆動装置を介して前記ファンの回転数を制御するように構成されている。
【００１６】
また、本発明は、被燃焼物が投入されるストーカ上方の燃焼室内の燃焼排ガスの一部をファンの吸引により炉内へ再循環ガスとして還流するようにしたストーカ式焼却炉の運転方法において、前記ストーカに配置されたおき燃焼帯の火格子の駆動手段と電気的に接続される燃焼制御装置を用い、前記燃焼制御装置が、前記火格子の少なくとも１つ以上の動作信号を受信し、及び、前記火格子の停止信号を受信し、前記火格子の動作している時間帯において、及び、前記火格子の停止後一定時間経過した時間帯において、前記再循環ガスの吸引量を制御している。
【００１７】
さらに、本発明は、被燃焼物が投入されるストーカ上方の燃焼室内の燃焼排ガスの一部をファンの吸引により炉内へ再循環ガスとして還流するようにしたストーカ式焼却炉の運転方法において、前記ストーカに配置されたおき燃焼帯の火格子及び前記被燃焼物の搬送装置の駆動手段と電気的に接続される燃焼制御装置を用い、前記燃焼制御装置が、前記火格子及び前記搬送装置のうち、少なくともいずれか一方の１つ以上の動作信号を受信し、及び、前記火格子及び前記搬送装置の停止信号を受信し、前記火格子及び前記搬送装置の動作している時間帯において、及び、前記火格子及び前記搬送装置の停止後一定時間経過した時間帯において、前記再循環ガスの吸引量を制御している。
【００１８】
そして、本発明は、被燃焼物が投入されるストーカ上方の燃焼室内の燃焼排ガスの一部をファンの吸引により炉内へ再循環ガスとして還流するようにしたストーカ式焼却炉の運転方法において、前記ストーカの下流側に配置された灰押出し装置の駆動手段と電気的に接続される燃焼制御装置を用い、前記燃焼制御装置が、前記灰押出し装置の押出し動作信号を受信し、及び、前記灰押出し装置の停止信号を受信し、前記灰押出し装置の動作している時間帯において、及び、灰押出し装置の停止後一定時間経過した時間帯において、前記再循環ガスの吸引量を制御している。
【００１９】
また、本発明は、被燃焼物が投入されるストーカ上方の燃焼室内の燃焼排ガスの一部をファンの吸引により炉内へ再循環ガスとして還流するようにしたストーカ式焼却炉の運転方法において、前記ストーカに配置されたおき燃焼帯の火格子の駆動手段及び前記ストーカの下流側に配置された灰押出し装置の駆動手段とそれぞれ電気的に接続される燃焼制御装置を用い、前記燃焼制御装置が、前記火格子及び前記灰押出し装置のうち、前記火格子の少なくとも１つ以上の動作信号及び前記灰押出し装置の押出し動作信号の少なくともいずれか一方を受信し、及び、前記火格子及び前記灰押出し装置の停止信号を受信し、前記火格子及び前記灰押出し装置の動作している時間帯において、及び、前記火格子及び前記灰押出し装置の停止後一定時間経過した時間帯において、前記再循環ガスの吸引量を制御している。
【００２０】
さらに、本発明は、被燃焼物が投入されるストーカ上方の燃焼室内の燃焼排ガスの一部をファンの吸引により炉内へ再循環ガスとして還流するようにしたストーカ式焼却炉の運転方法において、前記ストーカに配置されたおき燃焼帯の火格子及び前記被燃焼物の搬送装置の駆動手段と、前記ストーカの下流側に配置された灰押出し装置の駆動手段とにそれぞれ電気的に接続される燃焼制御装置を用い、前記燃焼制御装置が、前記火格子、前記搬送装置及び前記灰押出し装置のうち、前記火格子の少なくとも１つ以上の動作信号、前記搬送装置の少なくとも１つ以上の動作信号及び前記灰押出し装置の押出し動作信号の少なくともいずれか１つ以上を受信し、及び、前記火格子、前記搬送装置及び前記灰押出し装置の停止信号を受信し、前記火格子、前記搬送装置及び前記灰押出し装置の動作している時間帯において、及び、前記火格子、前記搬送装置及び前記灰押出し装置の停止後一定時間経過した時間帯において、前記再循環ガスの吸引量を制御している。
【００２１】
そして、本発明は、被燃焼物が投入されるストーカ上方の燃焼室内の燃焼排ガスの一部をファンの吸引により炉内へ再循環ガスとして還流するようにしたストーカ式焼却炉の運転方法において、前記ストーカの炉幅方向に少なくとも２つ以上配置されたおき燃焼帯の火格子及び前記被燃焼物の搬送装置の駆動手段と、前記ストーカの下流側に配置された灰押出し装置の駆動手段と、前記ストーカの炉幅方向に有する少なくとも２つ以上の前記再循環ガスの抜出し位置にそれぞれ設けられたガス抜出し口開閉用の開閉装置とにそれぞれ電気的に接続される燃焼制御装置を用い、前記燃焼制御装置が、前記火格子、前記搬送装置及び前記灰押出し装置のうち、前記炉幅方向で動作している前記火格子の少なくとも１つ以上の動作信号、前記炉幅方向で動作している前記搬送装置の少なくとも１つ以上の動作信号、及び前記灰押出し装置の押出し動作信号の少なくともいずれか１つ以上を受信し、及び、前記火格子、前記搬送装置及び前記灰押出し装置の停止信号を受信し、前記火格子、前記搬送装置及び前記灰押出し装置の動作している時間帯において、及び、前記火格子、前記搬送装置及び前記灰押出し装置の停止後一定時間経過した時間帯において、前記再循環ガスの吸引量を制御し、かつ前記開閉装置を開閉操作している。
【００２２】
本発明において、前記燃焼制御装置によって前記再循環ガスの吸引量を制御している間、前記再循環ガス量と同程度の流量の空気を炉内に供給していることが好ましい。
【発明の効果】
【００２３】
上述の如く、本発明に係るストーカ式焼却炉は、被燃焼物が投入されるストーカ上方の燃焼室内の燃焼排ガスの一部をファンの吸引により炉内へ再循環ガスとして還流するようにしたものであって、前記ストーカに配置されたおき燃焼帯の火格子を設けるとともに、前記火格子の少なくとも１つ以上の動作信号を受信し、及び、前記火格子の停止信号を受信し、前記火格子の動作している時間帯において、及び、前記火格子の停止後一定時間経過した時間帯において、前記再循環ガスの吸引量を制御する燃焼制御装置を設けているので、次のような効果を得ることができる。
すなわち、炉内排ガス再循環システムを採用したストーカ式焼却炉において、再循環ガス中に含まれるダストの根源は、ストーカの上方での被燃焼物の燃焼の結果として残留する焼却灰が、ストーカの下部より供給される燃焼空気（一次燃焼空気）によって吹き上げられることと、再循環ファンにより燃焼ガスを再循環ガスとして吸引することにある。特に、再循環ガス中に含まれるダストは、ストーカの下流端の火格子動作、搬送装置動作及び灰押出し装置の押出し動作が行われている時間帯において、及び、火格子、搬送装置及び灰押出し装置の停止後一定時間（ゼロ秒を含む、以下同様）経過した時間帯において、一時的に大量に燃焼ガス中に吹き上げられることになるため、これを吸引することで濃度上昇に至る。しかも、ダストの主成分は、Ｓｉ，Ｃａ，Ａｌ，Ｆｅ等の焼却灰の主成分であるが、数％の割合でＣｌ，Ｓ等の成分が含まれる。これらは腐食性の成分であると同時に、Ｃｌは比較的低い温度で溶融する物質の原因となる。
【００２４】
そこで、本発明に係るストーカ式焼却炉においては、ストーカに配置されたおき燃焼帯の火格子の動作信号を受信し、及び、前記火格子の停止信号を受信し、当該火格子の動作している時間帯において、及び、前記火格子の停止後一定時間経過した時間帯において、再循環ガスの吸引量を制御したり、あるいは再循環ガスの吸引を停止したりする燃焼制御装置を設けることによって、再循環ガスに含有されるダスト量の低減が可能となり、再循環通路等のダクト、除塵装置、ファン、二次空気ノズル等の摩耗、腐食、閉塞による装置破損、機能低下を回避でき、高い信頼性で長期間にわたり連続運転することができるとともに、設備コストの低減化を図ることができる。
【００２５】
また、本発明に係るストーカ式焼却炉は、被燃焼物が投入されるストーカ上方の燃焼室内の燃焼排ガスの一部をファンの吸引により炉内へ再循環ガスとして還流するようにしたものであって、前記ストーカに配置されたおき燃焼帯の火格子及び前記被燃焼物の搬送装置を設けるとともに、前記火格子及び前記搬送装置のうち、少なくともいずれか一方の１つ以上の動作信号を受信し、及び、前記火格子及び前記搬送装置の停止信号を受信し、前記火格子及び前記搬送装置の動作している時間帯において、及び、前記火格子及び前記搬送装置の停止後一定時間経過した時間帯において、前記再循環ガスの吸引量を制御する燃焼制御装置を設けているので、火格子のみならず搬送装置が動作している時間帯においても、及び、火格子及び搬送装置の停止後一定時間経過した時間帯においても、再循環ガス中のダスト量を低減させることでき、ダクト、除塵装置、ファン、二次空気ノズル等の摩耗、腐食、閉塞による装置破損、機能低下をより確実に回避でき、より一層長期間の運転を行うことができる。
【００２６】
さらに、本発明に係るストーカ式焼却炉は、被燃焼物が投入されるストーカ上方の燃焼室内の燃焼排ガスの一部をファンの吸引により炉内へ再循環ガスとして還流するようにしたものであって、前記ストーカの下流側に配置された灰押出し装置を設けるとともに、前記灰押出し装置の押出し動作信号を受信し、及び、前記灰押出し装置の停止信号を受信し、前記灰押出し装置の動作している時間帯において、及び、灰押出し装置の停止後一定時間経過した時間帯において、前記再循環ガスの吸引量を制御する燃焼制御装置を設けているので、再循環ガスに含有されるダスト量の低減が可能となり、上記発明と同様、再循環通路等のダクト、除塵装置、ファン、二次空気ノズル等の摩耗、腐食、閉塞による装置破損、機能低下を回避できる。
【００２７】
そして、本発明に係るストーカ式焼却炉は、被燃焼物が投入されるストーカ上方の燃焼室内の燃焼排ガスの一部をファンの吸引により炉内へ再循環ガスとして還流するようにしたものであって、前記ストーカに配置されたおき燃焼帯の火格子及び前記ストーカの下流側に配置された灰押出し装置を設けるとともに、前記火格子及び前記灰押出し装置のうち、前記火格子の少なくとも１つ以上の動作信号及び前記灰押出し装置の押出し動作信号の少なくともいずれか一方を受信し、及び、前記火格子及び前記灰押出し装置の停止信号を受信し、前記火格子及び前記灰押出し装置の動作している時間帯において、及び、前記火格子及び前記灰押出し装置の停止後一定時間経過した時間帯において、前記再循環ガスの吸引量を制御する燃焼制御装置を設けているので、火格子のみならず灰押出し装置が動作している時間帯においても、及び、火格子及び灰押出し装置の停止後一定時間経過した時間帯においても、再循環ガス中のダスト量を低減させることでき、上記発明の効果をより一層奏することができる。
【００２８】
また、本発明に係るストーカ式焼却炉は、被燃焼物が投入されるストーカ上方の燃焼室内の燃焼排ガスの一部をファンの吸引により炉内へ再循環ガスとして還流するようにしたものであって、前記ストーカに配置されたおき燃焼帯の火格子及び前記被燃焼物の搬送装置と、前記ストーカの下流側に配置された灰押出し装置とを設けるとともに、前記火格子、前記搬送装置及び前記灰押出し装置のうち、前記火格子の少なくとも１つ以上の動作信号、前記搬送装置の少なくとも１つ以上の動作信号及び前記灰押出し装置の押出し動作信号の少なくともいずれか１つ以上を受信し、及び、前記火格子、前記搬送装置及び前記灰押出し装置の停止信号を受信し、前記火格子、前記搬送装置及び前記灰押出し装置の動作している時間帯において、及び、前記火格子、前記搬送装置及び前記灰押出し装置の停止後一定時間経過した時間帯において、前記再循環ガスの吸引量を制御する燃焼制御装置を設けているので、火格子のみならず搬送装置や灰押出し装置が動作している時間帯においても、及び、火格子、搬送装置及び灰押出し装置の停止後一定時間経過した時間帯においても、再循環ガス中のダスト量を低減させることでき、上記発明の効果を更により一層奏することができる。
【００２９】
さらに、本発明に係るストーカ式焼却炉は、被燃焼物が投入されるストーカ上方の燃焼室内の燃焼排ガスの一部をファンの吸引により炉内へ再循環ガスとして還流するようにしたものであって、前記ストーカの炉幅方向に少なくとも２つ以上配置されたおき燃焼帯の火格子及び前記被燃焼物の搬送装置と、前記ストーカの下流側に配置された灰押出し装置とを設け、かつ前記ストーカの炉幅方向に有する少なくとも２つ以上の前記再循環ガスの抜出し位置にガス抜出し口を開閉する開閉装置をそれぞれ設けるとともに、前記火格子、前記搬送装置及び前記灰押出し装置のうち、前記炉幅方向で動作している前記火格子の少なくとも１つ以上の動作信号、前記炉幅方向で動作している前記搬送装置の少なくとも１つ以上の動作信号、及び前記灰押出し装置の押出し動作信号の少なくともいずれか１つ以上を受信し、及び、前記火格子、前記搬送装置及び前記灰押出し装置の停止信号を受信し、前記火格子、前記搬送装置及び前記灰押出し装置の動作している時間帯において、及び、前記火格子、前記搬送装置及び前記灰押出し装置の停止後一定時間経過した時間帯において、前記再循環ガスの吸引量を制御し、かつ前記開閉装置を開閉操作する燃焼制御装置を設けているので、上記発明と同様の効果が得られる上、複数のおき燃焼帯の火格子や搬送装置が個別に動作する場合では再循環ガスの吸引量を個別に制御でき、安定運転及び運転コストの低減を図ることができる。
【００３０】
本発明において、前記炉幅方向に２つ以上配置された隣接する前記おき燃焼帯の間には、前記ガス抜出し口が閉じた状態にある前記おき燃焼帯の前記再循環ガスの吸引を阻止する仕切板が配設されているため、火格子などが動作してダスト量が多いおき燃焼帯の燃焼排ガスを再循環ガスとして吸引するのを効率的に抑制することができる。
また、本発明において、前記燃焼制御装置によって前記再循環ガスの吸引量を制御している間、前記再循環ガス量と同程度の流量の空気を炉内に供給する供給手段が設けられているため、供給された新鮮な空気によって燃焼排ガスの攪拌及び混合を維持することができ、支障なく運転できる。
さらに、本発明において、前記再循環ガスが還流する再循環通路の前記ファンの上流部位には、前記再循環通路を開閉する開閉手段が配設され、前記開閉手段は、前記燃焼制御装置によって制御され、あるいは、前記燃焼制御装置は、前記ファンの回転駆動装置と電気的に接続され、前記燃焼制御装置により前記回転駆動装置を介して前記ファンの回転数を制御するように構成されているので、再循環ガスの吸引量を迅速かつ確実に制御することができる。
【００３１】
一方、本発明に係るストーカ式焼却炉の運転方法は、被燃焼物が投入されるストーカ上方の燃焼室内の燃焼排ガスの一部をファンの吸引により炉内へ再循環ガスとして還流するものであって、前記ストーカに配置されたおき燃焼帯の火格子の駆動手段と電気的に接続される燃焼制御装置を用い、前記燃焼制御装置が、前記火格子の少なくとも１つ以上の動作信号を受信し、及び、前記火格子の停止信号を受信し、前記火格子の動作している時間帯において、及び、前記火格子の停止後一定時間経過した時間帯において、前記再循環ガスの吸引量を制御しているので、火格子動作中、及び、火格子の停止後一定時間経過中に発生するダスト量を多く含む高濃度の燃焼排ガスを再循環ガスとして用いることなく運転できる。
したがって、本発明の運転方法によれば、ダクト、除塵装置、ファン、二次空気ノズル等の摩耗、腐食、閉塞などを起因とするストーカ式焼却炉の破損、機能低下を回避することができる。
【００３２】
また、本発明に係るストーカ式焼却炉の運転方法は、被燃焼物が投入されるストーカ上方の燃焼室内の燃焼排ガスの一部をファンの吸引により炉内へ再循環ガスとして還流するものであって、前記ストーカに配置されたおき燃焼帯の火格子及び前記被燃焼物の搬送装置の駆動手段と電気的に接続される燃焼制御装置を用い、前記燃焼制御装置が、前記火格子及び前記搬送装置のうち、少なくともいずれか一方の１つ以上の動作信号を受信し、及び前記火格子及び前記搬送装置の停止信号を受信し、前記火格子及び前記搬送装置の動作している時間帯において、及び、前記火格子及び前記搬送装置の停止後一定時間経過した時間帯において、前記再循環ガスの吸引量を制御しているので、火格子及び搬送装置の動作中、及び、火格子及び搬送装置の停止後一定時間経過中に発生するダスト量を多く含む高濃度の燃焼排ガスを再循環ガスとして用いることなく運転でき、ストーカ式焼却炉の破損、機能低下をより一層回避することができる。
【００３３】
さらに、本発明に係るストーカ式焼却炉の運転方法は、被燃焼物が投入されるストーカ上方の燃焼室内の燃焼排ガスの一部をファンの吸引により炉内へ再循環ガスとして還流するものであって、前記ストーカの下流側に配置された灰押出し装置の駆動手段と電気的に接続される燃焼制御装置を用い、前記燃焼制御装置が、前記灰押出し装置の押出し動作信号を受信し、及び、前記灰押出し装置の停止信号を受信し、前記灰押出し装置の動作している時間帯において、及び、灰押出し装置の停止後一定時間経過した時間帯において、前記再循環ガスの吸引量を制御しているので、灰押出し装置動作中、及び、灰押出し装置の停止後一定時間経過中に発生するダスト量を多く含む高濃度の燃焼排ガスを再循環ガスとして用いることなく運転でき、上記発明と同様の効果を得ることができる。
【００３４】
そして、本発明に係るストーカ式焼却炉の運転方法は、被燃焼物が投入されるストーカ上方の燃焼室内の燃焼排ガスの一部をファンの吸引により炉内へ再循環ガスとして還流するものであって、前記ストーカに配置されたおき燃焼帯の火格子の駆動手段及び前記ストーカの下流側に配置された灰押出し装置の駆動手段とそれぞれ電気的に接続される燃焼制御装置を用い、前記燃焼制御装置が、前記火格子及び前記灰押出し装置のうち、前記火格子の少なくとも１つ以上の動作信号及び前記灰押出し装置の押出し動作信号の少なくともいずれか一方を受信し、及び、前記火格子及び前記灰押出し装置の停止信号を受信し、前記火格子及び前記灰押出し装置の動作している時間帯において、及び、前記火格子及び前記灰押出し装置の停止後一定時間経過した時間帯において、前記再循環ガスの吸引量を制御しているので、火格子及び灰押出し装置の動作中、及び、火格子及び灰押出し装置の停止後一定時間経過中に発生するダスト量を多く含む高濃度の燃焼排ガスを再循環ガスとして用いることなく運転でき、ストーカ式焼却炉の破損、機能低下をより一層回避することができる。
【００３５】
また、本発明に係るストーカ式焼却炉の運転方法は、被燃焼物が投入されるストーカ上方の燃焼室内の燃焼排ガスの一部をファンの吸引により炉内へ再循環ガスとして還流するものであって、前記ストーカに配置されたおき燃焼帯の火格子及び前記被燃焼物の搬送装置の駆動手段と、前記ストーカの下流側に配置された灰押出し装置の駆動手段とにそれぞれ電気的に接続される燃焼制御装置を用い、前記燃焼制御装置が、前記火格子、前記搬送装置及び前記灰押出し装置のうち、前記火格子の少なくとも１つ以上の動作信号、前記搬送装置の少なくとも１つ以上の動作信号及び前記灰押出し装置の押出し動作信号の少なくともいずれか１つ以上を受信し、及び、前記火格子、前記搬送装置及び前記灰押出し装置の停止信号を受信し、前記火格子、前記搬送装置及び前記灰押出し装置の動作している時間帯において、及び、前記火格子、前記搬送装置及び前記灰押出し装置の停止後一定時間経過した時間帯において、前記再循環ガスの吸引量を制御しているので、火格子、搬送装置及び灰押出し装置の動作中、及び、火格子、搬送装置及び灰押出し装置の停止後一定時間経過中に発生するダスト量を多く含む高濃度の燃焼排ガスを再循環ガスとして用いることなく運転でき、ストーカ式焼却炉の破損、機能低下を更により一層回避することができる。
【００３６】
さらに、本発明に係るストーカ式焼却炉の運転方法は、被燃焼物が投入されるストーカ上方の燃焼室内の燃焼排ガスの一部をファンの吸引により炉内へ再循環ガスとして還流するものであって、前記ストーカの炉幅方向に少なくとも２つ以上配置されたおき燃焼帯の火格子及び前記被燃焼物の搬送装置の駆動手段と、前記ストーカの下流側に配置された灰押出し装置の駆動手段と、前記ストーカの炉幅方向に有する少なくとも２つ以上の前記再循環ガスの抜出し位置にそれぞれ設けられたガス抜出し口開閉用の開閉装置とにそれぞれ電気的に接続される燃焼制御装置を用い、前記燃焼制御装置が、前記火格子、前記搬送装置及び前記灰押出し装置のうち、前記炉幅方向で動作している前記火格子の少なくとも１つ以上の動作信号、前記炉幅方向で動作している前記搬送装置の少なくとも１つ以上の動作信号、及び前記灰押出し装置の押出し動作信号の少なくともいずれか１つ以上を受信し、及び、前記火格子、前記搬送装置及び前記灰押出し装置の停止信号を受信し、前記火格子、前記搬送装置及び前記灰押出し装置の動作している時間帯において、及び、前記火格子、前記搬送装置及び前記灰押出し装置の停止後一定時間経過した時間帯において、前記再循環ガスの吸引量を制御し、かつ前記開閉装置を開閉操作しているので、上記発明と同様の効果が得られる上、複数のおき燃焼帯の火格子や搬送装置が個別に動作する場合では再循環ガスの吸引量を個別に制御して運転でき、安定運転及び運転コストの低減を図ることができる
【００３７】
そして、本発明において、前記燃焼制御装置によって前記再循環ガスの吸引量を制御している間、前記再循環ガス量と同程度の流量の空気を炉内に供給しているので、供給された新鮮な空気によって燃焼排ガスを攪拌及び混合しながら、支障なく運転できる。
【図面の簡単な説明】
【００３８】
【図１】本発明の第１実施形態に係るストーカ式焼却炉の構成図である。
【図２】本発明の第２実施形態に係るストーカ式焼却炉の構成図である。
【図３】本発明の第３実施形態に係るストーカ式焼却炉の構成図である。
【図４】本発明の第４実施形態に係るストーカ式焼却炉の構成図である。
【図５】従来のストーカ式焼却炉の構成図である。
【発明を実施するための形態】
【００３９】
［第１実施形態］
図１は本発明の第１実施形態に係るストーカ式焼却炉の構成図である。
図１において、１はごみや産業廃棄物等の被燃焼物が投入されるごみホッパ、２はストーカ式焼却炉である。このストーカ式焼却炉２は、固定段と可動段の火格子を交互に配置してなる複数のストーカを備え、油圧装置により可動段を往復移動させることにより、ホッパ１より投入されたごみ（被燃焼物）の攪拌と前進を行いながら、燃焼を行うように構成された焼却炉であり、当該ストーカとしては、ごみホッパ１からの投入口の炉内底部側から順に敷設される、主として乾燥帯を構成する乾燥帯ストーカ２１、主として燃焼帯を構成する主燃焼帯ストーカ２２、及び主としておき燃焼帯を構成するおき燃焼帯ストーカ２３が挙げられる。乾燥帯ストーカ２１は最上流側に位置し、主燃焼帯ストーカ２２は乾燥帯ストーカ２１の下流側に位置し、おき燃焼帯ストーカ２３は主燃焼帯ストーカ２２の下流で最下流側に位置している。ここで、主燃焼帯とは、ごみ層上で火炎を上げて燃えている領域を指し、おき燃焼帯とは火炎にて燃え残り分の燃焼を行う領域を指している。
【００４０】
各ストーカ２１，２２，２３は、固定火格子の間に配設された移動火格子を備え、該移動火格子の往復運動によりごみ（被燃焼物）を投入した後、該ごみをストーカ２１で乾燥し、ストーカ２２で主燃焼を行い、最後にストーカ２３でおき燃焼を行うものである。おき燃焼帯ストーカ２３の下方には、灰捕集槽８が設けられている。なお、この実施形態では主燃焼帯ストーカ２２は３個であるが、１個または複数個設けられていればよい。
【００４１】
本実施形態のおき燃焼帯ストーカ２３における移動火格子２３ａは、該火格子を往復運動させる油圧装置などの駆動手段（図示せず）を備えており、当該駆動手段は、燃焼制御装置６１と電気的に接続されている。燃焼制御装置６１は、移動火格子２３ａの少なくとも１つ以上の動作信号を受信し、移動火格子２３ａが動作している時間帯において、後述する再循環ガスの吸引量を制御するように構成されている。
また、おき燃焼帯ストーカ２３には、ごみ（被燃焼物）を灰捕集槽８側に搬送するローラなどからなる搬送装置２３ｂが設けられており、当該搬送装置２３ｂの駆動手段は、燃焼制御装置６１と電気的に接続されている。燃焼制御装置６１は、搬送装置２３ｂの少なくとも１つ以上の動作信号を受信し、搬送装置２３ｂが動作している時間帯において、後述する再循環ガスの吸引量を制御するように構成されている。
【００４２】
一方、ストーカ２１，２２，２３の上方には一次燃焼室３が設けられ、さらにその上方には二次燃焼室４が設けられている。この二次燃焼室４に臨んで再循環ガス吹出しノズル１９ａ，１９ｂが炉側壁にそれぞれ設置されており、これら再循環ガス吹出しノズル１９ａ，１９ｂの上流側には、更に別の再循環ガス吹出しノズル１９ｃ，１９ｄが炉側壁に設置されている。そして、再循環ガス吹出しノズル１９ａ〜１９ｄは、対応する再循環通路１７，１８にそれぞれ接続され、再循環ファン１３からの一次空気を混合した再循環ガスを再循環ガス吹出しノズル１９ａ，１９ｂ及び再循環ガス吹出しノズル１９ｃ，１９ｄの２段位置から二次燃焼室４内に噴出するように構成されている。さらに、二次燃焼室４の排気ガス出口には、ボイラ８１が接続されている。
【００４３】
乾燥帯ストーカ２１、燃焼帯ストーカ２２及びおき燃焼帯ストーカ２３には、それぞれの下部の風箱に開口する一次空気管５１，５２（３個），５３が配設され、該一次空気管から一次空気が供給されるように構成されている。６は一次空気供給用のファン、５は当該ファン６と一次空気管５１，５２（３個），５３のそれぞれとを接続する一次空気主管であり、ファン６から圧送された一次空気は、一次空気主管５から一次空気管５１，５２，５３に分配されるようになっている。一次空気管５１，５２，５３には、これらをそれぞれ開閉する開閉弁５４，５５，５６が設けられている。また、一次空気主管５には、これを開閉する開閉弁７が設けられている。
【００４４】
おき燃焼帯ストーカ２３側に位置する炉側壁には、一次燃焼室３内（二次燃焼室４内でもよい）の燃焼排ガスの一部を再循環ガスとして再循環ファン１３により抜き出す再循環ガス抜出し口４０が設けられ、該再循環ガス抜出し口４０から抜き出された再循環ガスは、再循環通路１６及びサイクロン（除塵装置）１２の入口通路１４を通って再循環ファン１３の吸入通路１２ａに導入されるようになっている。そのため、サイクロン１２は、再循環通路１６の再循環ファン１３の上流部位に設けられ、サイクロン１２の入口通路１４が再循環通路１６に接続されている。また、サイクロン１２の出口と再循環ファン１３の入口とは、吸入通路１２ａを介して互いに接続されている。したがって、再循環ガス抜出し口４０と吸入通路１２ａとは、再循環通路１６、入口通路１４及びサイクロン１２を介して接続されており、吸入管路１２ａには、再循環ファン１３の入口を開閉する開閉弁０１３が設けられている。
【００４５】
また、サイクロン１２の入口通路１４には、開閉弁７の上流部位で一次空気主管５から分岐された混入空気通路３０が接続され、該混入空気通路３０には、これを開閉する開閉弁３０ａが設けられており、当該開閉弁３０ａを開くと、一次空気主管５からの一次空気が混入空気通路３０を通って入口通路１４及びサイクロン１２に導かれ、吸入通路１２ａを経て再循環ファン１３の入口に投入され、前記再循環ガスに一次空気を混合した混合ガスが再循環ファン１３に導入されるようになっている。すなわち、再循環通路１６からサイクロン１２に導入する前の再循環ガスに、混入空気通路３０からの一次空気を混合してからサイクロン１２に導入し、サイクロン１２にて公知の手段で当該再循環ガス中の塵類を除去した後、下流側の吸入通路１２ａに導かれ、再循環ファン１３に投入されるようになっている。
しかも、本実施形態に係る入口通路１４と混入空気通路３０との接続部付近の上流側には、再循環通路１６を開閉する開閉自在な開閉手段（ダンパ、開閉弁）４１が設けられている。この開閉手段４１は、燃焼制御装置６１に電気的に接続されており、該燃焼制御装置６１によって開閉手段４１の開閉が制御されるように構成されている。すなわち、燃焼制御装置６１が開閉手段４１を開閉操作することによって、再循環ファン１３による再循環ガスの吸引量が調整されたり、あるいは吸引停止が行われたりするようになっている。
【００４６】
さらに、再循環ファン１３によって出口側の再循環通路１５に圧送された一次空気混合後の再循環ガスは、下流側の再循環通路１７，１８に分岐されて再循環ガス吹出しノズル１９ａ〜１９ｄにそれぞれ送り込まれ、再循環ガス吹出しノズル１９ａ〜１９ｄから二次燃焼室４内に噴出せしめられるようになっている。また、再循環通路１７内にはこれを開閉する開閉弁３３が設けられ、再循環通路１８内にはこれを開閉する開閉弁３２が設けられている。
【００４７】
次に、本発明の第１実施形態に係るストーカ式焼却炉２の運転方法を説明する。
一般に、ストーカ式焼却炉２の運転時においては、ホッパ１より被燃焼物のごみを投入し、ファン６から一次空気主管５及び一次空気管５１，５２，５３を通って一次空気を各ストーカ２１，２２，２３に圧送し、各ストーカ２１，２２，２３によりごみを燃焼する。これに伴い、燃焼排ガスが発生し、発生した燃焼排ガスは、ストーカ上方の一次燃焼室３及び二次燃焼室４内に導かれ、一次燃焼及び二次燃焼が行われる。一次燃焼室３内の燃焼排ガスの一部は、再循環ガス抜出し口４０より再循環ガスとして再循環通路１６に抜き出される。この再循環ガスは、ファン６から一次空気主管５及び混入空気通路３０を通って入口通路１４に供給される燃焼用の一次空気と混合され、その後、サイクロン１２、再循環ファン１３、出口側の再循環通路１５等を介して再循環ガス吹出しノズル１９ａ〜１９ｄにそれぞれ送り込まれ、再循環ガス吹出しノズル１９ａ〜１９ｄから二次燃焼室４内に噴出せしめることにより還流されることになる。
【００４８】
しかし、本実施形態に係るストーカ式焼却炉２の運転時においては、燃焼制御装置６１が、おき燃焼帯ストーカ２３における移動火格子２３ａ及び搬送装置２３ｂの駆動手段のうち、少なくともいずれか一方（すなわち、移動火格子２３ａのみまたは搬送装置２３ｂのみ、あるいは、移動火格子２３ａ及び搬送装置２３ｂの両方）の１つ以上の駆動手段における動作信号を受信した場合、操作信号を開閉手段４１に送り、当該開閉手段４１を作動させて再循環通路１６を閉じる。すると、各ストーカ２１，２２，２３によるごみの燃焼で発生した燃焼排ガスは、ストーカ上方の一次燃焼室３及び二次燃焼室４内に導かれても、一次燃焼室３内の燃焼排ガスの一部が、再循環ガス抜出し口４０より再循環ガスとして再循環通路１６に抜き出されることはなくなり、再循環ファン１３による再循環ガスの吸引が停止される。これによって、おき燃焼帯ストーカ２３における移動火格子２３ａ及び搬送装置２３ｂの駆動手段のうち、少なくともいずれか一方が動作している時間帯において、大量のダストを含む高濃度の燃焼排ガスが再循環ガスとして再循環通路１６及び入口通路１４に進入してサイクロン１２及び再循環ファン１３等に送られるのが阻止されることになる。
【００４９】
なお、ストーカ式焼却炉２の運転状況によっては、開閉手段４１を全閉させて再循環通路１６を完全に閉じるのではなく、燃焼制御装置６１が開閉手段４１のダンパなどの開度を調整して吸引量を制御しながら、再循環ガスの一部を再循環ファン１３によって吸引することも可能である。
また、燃焼帯ストーカ２３における移動火格子２３ａ及び搬送装置２３ｂの駆動手段が停止している場合には、燃焼制御装置６１が操作信号を開閉手段４１に送り、開閉手段４１を作動させることによって再循環通路１６を開放させている。
【００５０】
このように、本発明の第１実施形態のストーカ式焼却炉２及びその運転方法においては、燃焼制御装置６１が、おき燃焼帯ストーカ２３における移動火格子２３ａ及び搬送装置２３ｂの駆動手段のうち、少なくともいずれか一方の１つ以上の駆動手段における動作信号を受信した場合、開閉手段４１を作動させて再循環通路１６を閉じ、再循環ファン１３による再循環ガスの吸引が停止され（あるいは、再循環ガスの吸引量が制限され）るため、各ストーカ２１，２２，２３によるごみの燃焼で発生した燃焼排ガスの一部が、再循環ガス抜出し口４０より再循環ガスとして再循環通路１６に抜き出されず、再循環ファン１３による再循環ガスの吸引が停止されることになる。したがって、おき燃焼帯ストーカ２３における移動火格子２３ａ及び搬送装置２３ｂの駆動手段のうち、少なくともいずれか一方が動作している時間帯において、大量のダストを含む高濃度の燃焼排ガスが再循環ガスとして再循環通路１６及び入口通路１４に進入してサイクロン１２及び再循環ファン１３等に送られるのを阻止でき、再循環通路１６等のダクト、サイクロン１２、再循環ファン１３、再循環ガス吹出しノズル１９ａ〜１９ｄなどのダスト等による摩耗、腐食、閉塞、機能低下などを回避することができるとともに、長期間の運転を行うことができる。  
【００５１】
［第２実施形態］
図２は本発明の第２実施形態に係るストーカ式焼却炉の構成図である。
この第２実施形態においては、上記第１実施形態の灰捕集槽８内に灰押出し装置４２が配置されており、この灰押出し装置４２によって灰捕集槽８内に溜まった主灰をストーカ式焼却炉の外部に押し出して搬出するように構成されている。また、灰押出し装置４２を駆動する駆動手段（図示せず）は、燃焼制御装置６１と電気的に接続されている。燃焼制御装置６１は、灰押出し装置４２の押出し動作信号を受信し、灰押出し装置４２が動作している時間帯において、再循環ガスの吸引量を制御するように構成されている。
その他の構成は上記第１実施形態（図１）と同様であり、これと同一の部材は同一の符号を付して説明を省略する。
【００５２】
次に、本発明の第２実施形態に係るストーカ式焼却炉２の運転方法を説明する。
本実施形態に係るストーカ式焼却炉２の運転時においては、燃焼制御装置６１が、灰押出し装置４２の駆動手段の押出し動作信号を受信した場合、操作信号を開閉手段４１に送り、当該開閉手段４１を作動させて再循環通路１６を閉じる。すると、各ストーカ２１，２２，２３によるごみの燃焼で発生した燃焼排ガスは、ストーカ上方の一次燃焼室３及び二次燃焼室４内に導かれても、一次燃焼室３内の燃焼排ガスの一部が、再循環ガス抜出し口４０より再循環ガスとして再循環通路１６に抜き出されることはなくなり、再循環ファン１３による再循環ガスの吸引が停止される。これによって、灰押出し装置４２の駆動手段が動作している時間帯において、大量のダストを含む高濃度の燃焼排ガスが再循環ガスとして再循環通路１６及び入口通路１４に進入してサイクロン１２及び再循環ファン１３等に送られるのが阻止されることになる。
その他の運転方法は、上記第１実施形態と同様である。
【００５３】
このように、本発明の第２実施形態のストーカ式焼却炉２及びその運転方法においては、燃焼制御装置６１が、灰押出し装置４２の駆動手段の押出し動作信号を受信した場合、開閉手段４１を作動させて再循環通路１６を閉じ、再循環ファン１３による再循環ガスの吸引が停止され（あるいは、再循環ガスの吸引量が制限され）るため、各ストーカ２１，２２，２３によるごみの燃焼で発生した燃焼排ガスの一部が、再循環ガス抜出し口４０より再循環ガスとして再循環通路１６に抜き出されず、再循環ファン１３による再循環ガスの吸引が停止されることになる。したがって、灰押出し装置４２が動作している時間帯において、大量のダストを含む高濃度の燃焼排ガスが再循環ガスとして再循環通路１６及び入口通路１４に進入してサイクロン１２及び再循環ファン１３等に送られるのを阻止でき、上記第１実施形態と同様の効果を得ることができる。  
【００５４】
［第３実施形態］
図３は本発明の第３実施形態に係るストーカ式焼却炉の構成図である。
この第３実施形態においては、上記第１実施形態及び第２実施形態の構成の両方を具備している。また、第３実施形態における燃焼制御装置６１は、混入空気通路３０を開閉する開閉弁３０ａと電気的に接続されており、移動火格子２３ａ、搬送装置２３ｂ及び灰押出し装置４２の駆動手段のうち、少なくともいずれか１つの動作信号を受信し、移動火格子２３ａ、搬送装置２３ｂ及び灰押出し装置４２が動作している時間帯において、開閉手段４１を作動させて再循環通路１６が閉じ、再循環ファン１３による再循環ガスの吸引が停止されている場合、開閉弁３０ａを作動させて混入空気通路３０を開き、ファン６によって、一次空気主管５及び混入空気通路３０を通り、サイクロン１２及び再循環ファン１３等を経て、再循環ガス量と同程度の流量の新鮮空気を炉内へ供給するように構成されている。したがって、新鮮空気の供給手段４３は、主として、ファン６、一次空気主管５、開閉弁３０ａ及び混入空気通路３０から構成されている。
その他の構成は上記第１実施形態（図１）及び第２実施形態（図２）と同様であり、これと同一の部材は同一の符号を付して説明を省略する。
【００５５】
次に、本発明の第３実施形態に係るストーカ式焼却炉２の運転方法を説明する。
本実施形態に係るストーカ式焼却炉２の運転時においては、燃焼制御装置６１が、おき燃焼帯ストーカ２３における移動火格子２３ａ及び搬送装置２３ｂの駆動手段のうち、少なくともいずれか一方の１つ以上の駆動手段における動作信号を受信した場合、あるいは、灰押出し装置４２の駆動手段の押出し動作信号を受信した場合、操作信号を開閉手段４１に送り、当該開閉手段４１を作動させて再循環通路１６を閉じる。すると、各ストーカ２１，２２，２３によるごみの燃焼で発生した燃焼排ガスは、ストーカ上方の一次燃焼室３及び二次燃焼室４内に導かれても、一次燃焼室３内の燃焼排ガスの一部が、再循環ガス抜出し口４０より再循環ガスとして再循環通路１６に抜き出されることはなくなり、再循環ファン１３による再循環ガスの吸引が停止される。これによって、移動火格子２３ａ、搬送装置２３ｂ及び灰押出し装置４２の駆動手段が動作している時間帯において、大量のダストを含む高濃度の燃焼排ガスが再循環ガスとして再循環通路１６及び入口通路１４に進入してサイクロン１２及び再循環ファン１３等に送られるのが阻止されることになる。
それと同時に、本実施形態のストーカ式焼却炉２では、燃焼制御装置６１が、開閉弁３０ａを作動させて混入空気通路３０を開き、ファン６によって、一次空気主管５及び混入空気通路３０を通り、サイクロン１２及び再循環ファン１３等を経て、再循環ガス量と同程度の流量の新鮮空気が炉内へ供給されることになる。
その他の運転方法は、上記第１及び第２実施形態と同様である。
【００５６】
このように、本発明の第３実施形態のストーカ式焼却炉２及びその運転方法においては、燃焼制御装置６１が、おき燃焼帯ストーカ２３における移動火格子２３ａ及び搬送装置２３ｂの駆動手段のうち、少なくともいずれか一方の１つ以上の駆動手段における動作信号を受信した場合、あるいは、灰押出し装置４２の駆動手段の押出し動作信号を受信した場合、開閉手段４１を作動させて再循環通路１６を閉じ、再循環ファン１３による再循環ガスの吸引が停止される（あるいは、再循環ガスの吸引量が制限される）一方、開閉弁３０ａを作動させて混入空気通路３０を開き、ファン６によって、一次空気主管５及び混入空気通路３０、サイクロン１２及び再循環ファン１３等を経て、再循環ガス量と同程度の流量の新鮮空気が炉内へ供給されるため、上記第１及び第２実施形態と同様の効果を得ることができるとともに、再循環ガスを二次燃焼室４に送らなくとも、燃焼排ガスの攪拌及び混合を維持することができる。  
【００５７】
［第４実施形態］
図４は本発明の第４実施形態に係るストーカ式焼却炉の構成図である。
この第４実施形態においては、上記第１実施形態〜上記第３実施形態の構成のすべてを具備している。また、第４実施形態のおき燃焼帯は、ストーカ２３の炉幅方向に少なくとも２つ以上（本実施形態では左右両側の２つ）配置されており、各おき燃焼帯には、左右の移動火格子２３ａ及び搬送装置２３ｂがそれぞれ設けられている。さらに、各おき燃焼帯の左右のガス抜出し口通路（ガス抜出し口）４４には、これを開閉する開閉装置４５がそれぞれ設けられている。そして、左右両側で隣接するおき燃焼帯の間には、開閉装置４５にてガス抜出し口通路４４の閉じたおき燃焼帯側の燃焼排ガスを再循環ガスとして吸引するのを阻止する仕切板４６が設けられている。
【００５８】
第４実施形態の燃焼制御装置６１は、左右の移動火格子２３ａ及び搬送装置２３ｂ、開閉装置４５とそれぞれ電気的に接続されており、左右の移動火格子２３ａ、左右の搬送装置２３ｂ、及び灰押出し装置４２の駆動手段のうち、少なくともいずれか１つの動作信号を受信し、移動火格子２３ａ、搬送装置２３ｂ及び灰押出し装置４２が動作している時間帯において、開閉手段４１及び開閉装置４５を作動させて再循環通路１６及びガス抜出し口通路４４が閉じ、再循環ファン１３による再循環ガスの吸引が停止されている場合、開閉弁３０ａを作動させて混入空気通路３０を開き、ファン６によって、一次空気主管５及び混入空気通路３０を通り、サイクロン１２及び再循環ファン１３等を経て、再循環ガス量と同程度の流量の新鮮空気を炉内へ供給するように構成されている。なお、燃焼制御装置６１は、左右の移動火格子２３ａ及び搬送装置２３ｂのうち、動作していないおき燃焼帯の開閉装置４５を作動させてガス抜出し口通路４４を開くように構成されている。
その他の構成は上記第１実施形態（図１）、第２実施形態（図２）及び第３実施形態（図３）と同様であり、これと同一の部材は同一の符号を付して説明を省略する。
【００５９】
次に、本発明の第４実施形態に係るストーカ式焼却炉２の運転方法を説明する。
本実施形態に係るストーカ式焼却炉２の運転時においては、燃焼制御装置６１が、左右のおき燃焼帯ストーカ２３における移動火格子２３ａ及び搬送装置２３ｂの駆動手段のうち、少なくともいずれか一方の１つ以上の駆動手段における動作信号を受信した場合、あるいは、灰押出し装置４２の駆動手段の押出し動作信号を受信した場合、操作信号を開閉手段４１及び開閉装置４５に送り、当該開閉手段４１及び開閉装置４５を作動させて再循環通路１６及びガス抜出し口通路４４を閉じる。すると、各ストーカ２１，２２，２３によるごみの燃焼で発生した燃焼排ガスは、ストーカ上方の一次燃焼室３及び二次燃焼室４内に導かれても、一次燃焼室３内の燃焼排ガスの一部が、再循環ガス抜出し口４０より再循環ガスとして再循環通路１６に抜き出されることはなくなり、再循環ファン１３による再循環ガスの吸引が停止される。これによって、左右の移動火格子２３ａ、左右の搬送装置２３ｂ、及び灰押出し装置４２の駆動手段が動作している時間帯において、大量のダストを含む高濃度の燃焼排ガスが再循環ガスとして再循環通路１６及び入口通路１４に進入してサイクロン１２及び再循環ファン１３等に送られるのが阻止されることになる。また、左右の移動火格子２３ａ及び左右の搬送装置２３ｂの一方のみが動作している場合には、動作していない他方のおき燃焼帯側のガス抜出し口通路４４は、開閉装置４５によって閉じることなく、開放されていることになる。すなわち、再循環ガスの吸引量を左右のおき燃焼帯ごとに制御することが可能となっている。
それと同時に、本実施形態のストーカ式焼却炉２では、燃焼制御装置６１が、開閉弁３０ａを作動させて混入空気通路３０を開き、ファン６によって、一次空気主管５及び混入空気通路３０を通り、サイクロン１２及び再循環ファン１３等を経て、再循環ガス量と同程度の流量の新鮮空気が炉内へ供給されることになる。
第４実施形態におけるその他の運転方法及び作用効果は、上記第１実施形態〜上記第３実施形態と同様である。
【００６０】
以上、本発明の実施の形態につき述べたが、本発明は既述の実施の形態に限定されるものではなく、本発明の技術的思想に基づいて各種の変形及び変更が可能である。
【００６１】
例えば、既述の第１実施形態、第３実施形態及び第４実施形態では、被燃焼物の搬送装置２３ｂが設けられているが、本発明は、当該搬送装置２３ｂが設けられていないストーカ式焼却炉２に適用しても良い。
また、既述の第１及び第２実施形態における燃焼制御装置６１は、入口通路１４と混入空気通路３０との接続部付近の上流側に配置した開閉手段４１と電気的に接続され、該開閉手段４１を開閉操作して再循環ガスの吸引量を制御するように構成されているが、開閉手段４１に代えて、再循環ファン１３の回転駆動装置（図示せず）と電気的に接続され、当該回転駆動装置を介して再循環ファン１３の回転数を制御し、あるいは、停止するように構成されていても良い。
さらに、既述の第１実施形態〜第４実施形態では、火格子２３ａ、搬送装置２３ｂ及び灰押出し装置４２の動作信号を受信し、これら火格子２３ａ、搬送装置２３ｂ及び灰押出し装置４２の動作している時間帯において、燃焼制御装置６１による再循環ガスの吸引量を制御し、開閉手段４１、開閉装置４５等の開閉操作を行っているが、本発明は、火格子２３ａ、搬送装置２３ｂ及び灰押出し装置４２の停止信号を受信し、これら火格子２３ａ、搬送装置２３ｂ及び灰押出し装置４２の停止後ゼロ秒を含む一定時間経過した時間帯において、燃焼制御装置６１による再循環ガスの吸引量を制御し、開閉手段４１、開閉装置４５等の開閉操作を行っても良い。なお、一定時間を作る具体的な方法としては、タイマー駆動等があり、経験則などで得られた時間をタイマーに予め設定しておく方法が挙げられる。
【符号の説明】
【００６２】
１  ごみホッパ
２  ストーカ式焼却炉
３  一次燃焼室
４  二次燃焼室
５  一次空気主管
６  ファン
１２  サイクロン
１２ａ  吸入通路
１３  再循環ファン
１４  入口通路
１５，１６，１７，１８  再循環通路
１９ａ，１９ｂ，１９ｃ，１９ｄ  再循環ガス吹出しノズル
２１  乾燥帯ストーカ
２２  主燃焼帯ストーカ
２３  おき燃焼帯ストーカ  
２３ａ  移動火格子
２３ｂ  搬送装置
３０  混入空気通路
３０ａ  開閉弁
４０  再循環ガス抜出し口
４１  開閉手段
４２  灰押出し装置
４３  供給手段
４４  ガス抜出し口通路
４５  開閉装置
４６  仕切板
５１，５２，５３  一次空気管
６１  燃焼制御装置
【図１】
0005422428.tif 000002
【図２】
0005422428.tif 000003
【図３】
0005422428.tif 000004
【図４】
0005422428.tif 000005
【図５】
0005422428.tif 000006